(57)【要約】  固相抽出（ＳＰＥ）ディスクは、ディスクの表面積が試料に対して最大限露出されるときに最良の抽出効率が得られる。このような最良の抽出効率は、本開示により実現され得る。本開示では、ＳＰＥディスクがキャビティを画成する側壁に押し付けられてＳＰＥディスクと側壁との間に封止が形成されるように、ＳＰＥディスクがディスクホルダー装置のキャビティ内に固定される。当該ディスクホルダー装置は、真空用途の開放された設計で、又は試料がディスクを通過するように陽圧を使用する場合における閉鎖部で封止された設計で使用可能である。ディスクホルダー装置の様々な構成及びその使用方法の例が提供される。
2015533216.tif 000002
【特許請求の範囲】
【請求項１】
厚みを有する固相抽出ディスクと；
固相抽出ディスクホルダー装置と；
を備える固相抽出システムであって、
前記固相抽出ディスクホルダー装置は、前記固相抽出ディスクを受けるキャビティを有する深皿を備え、前記キャビティは、前記深皿の底壁及びこれに隣接する側壁により画成され；
前記固相抽出ディスクは、前記キャビティ中に位置する際に、前記深皿の前記側壁に押し付けられることを特徴とする固相抽出システム。
【請求項２】
前記固相抽出ディスクが前記深皿の前記側壁との間で封止を形成することを特徴とする、請求項１に記載の固相抽出システム。
【請求項３】
前記深皿の前記キャビティは、前記固相抽出ディスクを通過して流れることとなる流体試料を収容するリザーバを形成し；
封止により、前記流体試料は、前記固相抽出ディスクと前記深皿の前記側壁との間を流れるのを防止されることを特徴とする、請求項１に記載の固相抽出システム。
【請求項４】
前記深皿の前記底壁が前記流体試料の流体出口を有することを特徴とする、請求項３に記載の固相抽出システム。
【請求項５】
前記固相抽出ディスクと前記キャビティの前記底壁との間に設置されたスクリーンをさらに備えることを特徴とする、請求項１に記載の固相抽出システム。
【請求項６】
前記深皿が、前記底壁に前記スクリーンを受ける凹部を有することを特徴とする、請求項５に記載の固相抽出システム。
【請求項７】
前記キャビティをカバーする深皿閉鎖部をさらに備えることを特徴とする、請求項１に記載の固相抽出システム。
【請求項８】
前記深皿閉鎖部が前記深皿と機械的に接続されることを特徴とする、請求項７に記載の固相抽出システム。
【請求項９】
前記深皿閉鎖部がネジ式係合により前記深皿と機械的に接続されることを特徴とする、請求項８に記載の固相抽出システム。
【請求項１０】
前記ネジ式係合は、前記深皿閉鎖部の雄ネジが前記深皿の雌ネジと係合することにより形成可能であることを特徴とする、請求項９に記載の固相抽出システム。
【請求項１１】
前記深皿閉鎖部が、前記固相抽出ディスクを通過して流れることとなる流体試料の流体入口を有することを特徴とする、請求項７に記載の固相抽出システム。
【請求項１２】
前記キャビティ中に位置する流体試料の漏出を防ぐために、前記深皿閉鎖部と前記深皿との間に封止を形成するガスケットをさらに備えることを特徴とする、請求項７に記載の固相抽出システム。
【請求項１３】
前記ガスケットが、前記深皿閉鎖部の側壁と前記深皿の前記側壁との間に設置されたＯリングガスケットを備えることを特徴とする、請求項１２に記載の固相抽出システム。
【請求項１４】
前記Ｏリングガスケットが、前記深皿閉鎖部の前記側壁に形成された溝に設置されることを特徴とする、請求項１３に記載の固相抽出システム。
【請求項１５】
前記深皿閉鎖部は、前記深皿に接続される際、前記キャビティ中で離間ギャップだけ前記固相抽出ディスクと離間され、これにより流体試料の流体流れ通路が形成されることを特徴とする、請求項７に記載の固相抽出システム。
【請求項１６】
固相抽出システムを使用する方法であって、
固相抽出ディスクホルダー装置の深皿のキャビティへ固相抽出ディスクを挿入するステップであって、前記固相抽出ディスクが前記深皿の側壁に押し付けられて、封止が前記深皿の前記側壁との間に形成され、前記封止は、流体試料が前記固相抽出ディスクと前記深皿の前記側壁との間を流れるのを防止するようにするステップを含む方法。
【請求項１７】
前記キャビティ内の前記固相抽出ディスクへ前記流体試料を導入するステップであって、前記流体試料が、前記固相抽出ディスクと前記深皿の前記側壁との間を流れることなく、前記固相抽出ディスクを通って流体出口へ流れるステップをさらに含むことを特徴とする、請求項１６に記載の方法。
【請求項１８】
前記流体試料が、陽圧及び真空の少なくとも一方が印加された状態で、前記固相抽出ディスクを通って流れることを特徴とする、請求項１７に記載の方法。
【請求項１９】
前記キャビティ内の前記固相抽出ディスクへ溶出溶媒を導入するステップであって、前記溶出溶媒が、前記固相抽出ディスクと前記深皿の前記側壁との間を流れることなく、前記固相抽出ディスクを通って前記流体出口へ流れるステップをさらに含むことを特徴とする、請求項１７に記載の方法。
【請求項２０】
深皿閉鎖部を前記深皿に機械的に接続するステップと；
前記深皿閉鎖部と前記深皿との間に封止を形成するステップと；
前記深皿閉鎖部が前記深皿に接続される際に、離間ギャップが前記固相抽出ディスクの上面と前記深皿閉鎖部との間に存在して、前記深皿閉鎖部が前記固相抽出ディスクの前記上面と接触しないように、前記深皿閉鎖部を配置するステップと、
をさらに含むことを特徴とする、請求項１６に記載の方法。
【発明の詳細な説明】
【技術分野】
【０００１】
関連出願の相互参照
本出願は、２０１２年１０月５日に出願された米国仮出願第６１／７１０５２２号の出願日の利益を主張するものであり、当該出願の教示は参照により本明細書に組み込まれる。
【０００２】
本開示は、概して試料検査用製品及び試料検査用技術に関し、より具体的には、改良された固相抽出（ＳＰＥ：ｓｏｌｉｄ  ｐｈａｓｅ  ｅｘｔｒａｃｔｉｏｎ）濾過ディスクホルダー並びにその設計方法及び製造方法に関する。
【背景技術】
【０００３】
分離の科学（ｓｅｐａｒａｔｉｏｎ  ｓｃｉｅｎｃｅ）とも呼ばれる技術分野では、ナイロン、アルミナ、シリカ、結合シリカ、ポリマー、及びその他の種々の材料のような材料への選択的吸着によって、溶液の混合物を単離し、分離し、分析する手段が提供される。当該工程は、互いに混和しない移動相と固定化された固定相との間の混合物の各成分の分配比の差に基づくものである。
【０００４】
固相抽出（ＳＰＥ）は、液体試料及び液体／固体混合試料を分析するための実験技術である。このような装置の基本的な目的は、液体試料を濾過すること、および化合物又は分析物を液体部分から吸着剤へ選択的に吸着させることである。次いで、適切な溶媒を使用して、分析対称物が吸着剤から抽出され、回収容器へ溶出され得る。
【発明の概要】
【発明が解決しようとする課題】
【０００５】
従来の固相抽出（ＳＰＥ）濾過ディスクホルダー装置は、それによってＳＰＥディスクが上側アセンブリと下側アセンブリとの間で挟持される（ｃｌａｍｐｅｄ）か又はその他の方法で強固に保持される機構を備える。下側アセンブリは、平坦な環状面又はディスクを保持する深皿（ｂａｓｉｎ）で構成され得る。一方、上側アセンブリは、ＳＰＥディスクの上部周面のエッジ領域を封止するリザーバ又はカラーで構成され得る。ＳＰＥディスクの上部周縁領域及び下部周縁領域において上側アセンブリ及び下側アセンブリを共にクランプ固定するか又は締め付けて、上側アセンブリと下側アセンブリとの間にＳＰＥディスクを挟むことにより、ＳＰＥディスクの外周部は所定の位置に保持可能であり、一方でディスクの中央領域部は、試料が通過するように露出されたままとなる。
【０００６】
ＳＰＥディスクを通して流体試料（例えば水等の液体）を引っ張るか又は押し出すために、真空又は陽圧（即ち大気圧より大きな圧力）が使用可能であるので、ディスクホルダーアセンブリとＳＰＥディスクとの間に十分な封止を形成することが必要である。試料の漏出が起こったり、ディスクの外周部の周りに空気が存在していたりすると、回収率が低くなり、また一貫性のないものとなる。
【０００７】
しかしながら、確実に漏れのない封止を形成するために上部周縁領域及び底部周縁領域においてＳＰＥディスクを締め付けることにより、締付け点の下の領域は、分析物がトラップされ得、且つ／又は分析物が溶出ステップ中に除去若しくは抽出されない領域となる。従来のディスクホルダーでは、ＳＰＥディスクを通して液体を移動させるために真空及び陽圧の何れが使用されても、この現象が発生する。
【課題を解決するための手段】
【０００８】
この課題を解決し、より確実に最良の回収率を実現するために、本明細書で提示される装置設計により、ＳＰＥディスクの厚さ方向に沿ったＳＰＥディスクの外縁部と深皿の内壁部との間で封止、特に圧入封止を形成するように、圧縮されて深皿へ圧入されるＳＰＥディスクが提供される。締まり嵌めシール又は摩擦嵌合シールとも呼ばれるこの圧入封止に最も適したＳＰＥディスクは、ＳＰＥディスクが所定位置に押し込まれる際に弾性的に圧縮又は屈曲可能なように、３〜１０ｍｍのオーダーの厚さで、且つ弾力性のある構成のものとすべきであるが、特に試料の重量が掛かった状態で実質的な変形（例えばサグ）が起こらないように、剛性は保たれるものとすべきである。
【０００９】
ＳＰＥディスクが所定位置へ押し込まれると、ＳＰＥディスクのエッジ厚み部（ｔｈｉｃｋｎｅｓｓ  ｅｄｇｅ）は、周囲の深皿壁部との圧縮封止を形成し、これにより流体試料は、ＳＰＥディスクのエッジではなく、ＳＰＥディスクを通過して流れる。装置の深皿閉鎖部は、深皿に螺合することができ、特にＳＰＥディスクの上面と接触しないように構成され得る。深皿閉鎖部のＯリングにより、深皿とトップシール部材との間に封止を形成することができる。ＳＰＥディスクの上面と接触しないようにすることにより、分析物が締め付け領域にトラップされることはなくなる。ＳＰＥディスクを保持する様々な構成の例が提供される。
【００１０】
本発明の目的、特徴、及び利点は、以下の本発明の詳細な説明において明らかになるであろう。当該詳細な説明は添付の図面と併せて読まれ、当該添付図面においては、同一の参照番号は、複数の図面にわたって同一又は類似の部分を表す。
【図面の簡単な説明】
【００１１】
【図１】従来のＳＰＥディスクホルダー装置の組立て前の側断面図である。
【図２】従来のＳＰＥディスクホルダー装置の組み立て後の側断面図である。
【図３】組み立て後の図１及び図２の従来のＳＰＥディスクホルダー装置を通って試料が流れる際の側断面図であって、特にＳＰＥディスクの膜を通過する流体試料の流れを示す。
【図４】本開示に係る典型的なＳＰＥディスクホルダー装置の斜視図である。
【図５】ガスケットがトップシール部材から分離した状態の、図４のＳＰＥディスクホルダーの側断面図である。
【図６】ガスケットがトップシール部材に接合された状態の、図５のＳＰＥディスクホルダーの側断面図である。
【図７】組み立て後の図４〜６のＳＰＥディスクホルダー装置を通って試料が流れる際の側断面図であって、特にＳＰＥディスクの膜を通過する流体試料の流れを示す。
【発明を実施するための形態】
【００１２】
本開示は、その利用にあたっては、以下の説明に記載される、又は図面に示される構成要素の構成及び配置の詳細に限定されるものではないということが理解され得る。本明細書における実施形態は、他の実施形態とすることも可能であり、また、様々な方法で実施又は実行可能である。また、本明細書で使用される表現及び専門用語は説明のためのものであり、限定的なものとみなすべきではないことが理解され得る。
【００１３】
図１を参照すると、組立て前の、従来のＳＰＥディスクホルダー装置（２）が示されており、吸着剤を含侵させたＳＰＥディスク（２０）が上側の漏斗又はリザーバ（２５）と下側の深皿（１０）との間に挟まれている。この例では、支持スクリーン（１５）が深皿（１０）へ挿入され、支持スクリーン（１５）の上にＳＰＥディスク（２０）が置かれている。リザーバ（２５）は、通常平坦なすりガラスの足（２７）を有するガラス製のものであり、ＳＰＥディスク（２０）の上面の上に置かれ、何らかの種類のクランプ（３０）で深皿（１０）に固定される。この例では、クランプ（３０）は、リザーバ（２５）を深皿（１０）に固定するネジ式カラーである。
【００１４】
図２を参照すると、図１のＳＰＥディスクホルダー装置（２）の構成要素を、使用する際のように組み立てたものが示されている。図示されるように、ＳＰＥディスク（２０）の上部周縁領域及び底部周縁領域において上側のリザーバ（２５）と下側の深皿（１０）とを共にクランプ固定するか又は締め付けて、リザーバ（２５）と深皿（１０）との間にＳＰＥディスク（２０）を挟むことにより、ＳＰＥディスク（２０）の外周部は所定の位置に保持可能であり、一方でディスク（２０）の中央領域部は、試料が通過するように露出されたままとなる。
【００１５】
流体試料（例えば分析物を含む水等の液体）はその後、上側のリザーバ（２５）へ注がれ、ＳＰＥディスク（２０）の吸着剤を通過した試料を引き出すために、真空源が深皿（１０）を通じて印加され得る。この工程は、濾過される全試料がディスク／吸着剤（２０）を通過するまで続けることができる。
【００１６】
吸着剤に結合されＳＰＥディスク（２０）により濾別された固体物にトラップされた分析物は、溶出により回収することができる。真空が停止され、少量の抽出溶媒が加えられ得る。当該手順には、ＳＰＥディスク（２０）内で吸着剤に結合されている分析物及び任意の粒子状物質上の分析物が脱着して抽出溶媒へ分配されるように、浸漬期間が含まれ得る。浸漬後、真空が再印加されて、溶媒が回収され得る。
【００１７】
試料とＳＰＥディスク（２０）とを確実に最も効果的に相互作用させるために、ＳＰＥディスク（２０）は、全分析対称物がＳＰＥ（吸着剤）パッキングに保持され得るように、全試料がＳＰＥパッキング（吸着剤）材料全体を自由に通過できるような態様で支持されなければならない。ディスクホルダー装置（２）が、試料及び溶出溶媒がＳＰＥディスク（２０）の全領域に広がってＳＰＥディスク（２０）の全領域から抽出されることを妨げず、また阻むものでないということは非常に重要である。従来のＳＰＥディスク（２０）のエッジの封止方法では、これは不可能である。ＳＰＥディスク（２０）の、締め付けられているか又は挟持されている任意の領域は、上向きに沿った（ｕｐｓｗｅｐｔ）領域となり、その結果回収率がランダムで一貫性のないものとなり得る。
【００１８】
図３を参照すると、ＳＰＥディスク（２０）を通過する試料又は溶出溶媒（３５）の流れが示されている。試料及び溶出溶媒がディスクの中央部を自由に通過できる一方で、深皿（１０）及びリザーバ（２５）により締め付けられているディスクのエッジは、上向きに沿った領域（４０）を形成する。当該領域（４０）には試料が溜まることがあり、且つ／又は当該領域（４０）では試料は溶出ステップ中に溶出されない。一旦分析物がこの領域に来ると、ＳＰＥディスク（２０）から当該分析物を除去又は抽出することが非常に困難である。流体試料が食品の着色料で薄く色付いており、ＳＰＥディスク（２０）を通して濾過される場合、この現象は容易に視認できる。試料はＳＰＥディスク（２０）を通して濾過されるため、食品の色がＳＰＥ吸着剤に残ることになる。全試料がＳＰＥディスク（２０）を通過すると、ＳＰＥディスク（２０）は適切な溶媒で溶出される。残った食品の色は、溶離されて回収される。しかしながら、ディスクホルダー装置（２）が分解され、ＳＰＥディスク（２０）が試験される際には、ＳＰＥディスク（２０）の外周部全体、即ち２つの封止面の間に挟持された上向きに沿った領域（４０）の周りで、明瞭な呈色が視認されることとなる。任意の残色は、試料中の分析対称物の痕跡がこの挟持領域に残っていることを示唆する。その結果、誤った値が報告されてしまう。
【００１９】
図４〜図６を参照すると、本開示による密封可能な固相抽出（ＳＰＥ）濾過ディスクホルダー装置（４５）の組立て前の斜視図及び側断面図が示されている。一般に、深皿（５０）の内径は約５０ｍｍであり、深皿の外径は７５ｍｍである。しかしながら、これらの寸法は使用されるＳＰＥディスク（６０）の直径に基づいて変更可能である。深皿壁部の厚みは、変形することなく装置（４５）に印加される陽圧に耐えられるように、十分に厚いものとすべきである。深皿（５０）の内側キャビティ（５２）の深さも変更可能であるが、一般には１０ｍｍ〜４０ｍｍの深さとすることができる。当該深さは、流体試料（例えば汚れた／汚染された水等の液体）を扱う際に必要な内部容積の大きさに基づいて変更可能である。キャビティ（５２）が深くなるほど、より多くの粒子状物質がＳＰＥディスク（６０）の面上に蓄積され得る。
【００２０】
支持スクリーン（５５）が深皿（５０）の底部に配置可能であり、当該スクリーン（５５）は深皿（５０）の底部の凹部（５４）により所定の位置に保持され得る。ＳＰＥディスク（６０）は深皿（５０）中へ配置され、ＳＰＥディスク（６０）が支持スクリーン（５５）の上部に平坦に位置するまで、ＳＰＥディスク（６０）のエッジ（６２）が強固に下方へ押し付けられる。装置（４５）の設計により、ＳＰＥディスク（６０）が、ＳＰＥディスク（６０）の厚さ方向に沿ったＳＰＥディスク（６０）の外側エッジ厚み部（６２）と深皿の内壁面（５８）との間で摩擦封止を形成するように、ＳＰＥディスク（６０）を深皿（５０）へ圧入することが可能となる。締まり嵌めシールとしても知られるこの圧入封止に最も適したＳＰＥディスク（６０）は、ＳＰＥディスク（６０）が所定位置に押し込まれる際に弾性的に圧縮又は屈曲可能なように、３〜１０ｍｍのオーダーの厚さで、且つ弾力性のある構成のものとすべきであるが、特に試料の重量が掛かった状態で実質的な変形（例えばサグ）が起こらないように、剛性は保たれるものとすべきである。圧入又は締まり嵌めは、ＳＰＥディスクの外寸長さ（例えば外径）が深皿壁部の内寸長さ（例えば内径）より大きい場合に形成可能であり、ＳＰＥディスクの外寸長さ（例えば外径）はその後、深皿壁部の内寸長さ（例えば内径）と等しい長さまで圧縮されることが理解されるべきである。ＳＰＥディスク（６０）が所定位置へ押し込まれると、ＳＰＥディスク（６０）のエッジ厚み部（６２）は、周囲の深皿壁部（５８）との封止を形成し、これにより流体試料は、ＳＰＥディスク（６０）のエッジ（６２）の周りではなく、ＳＰＥディスク（６０）を通過して流れる。
【００２１】
図６及び図７に最も良く示されるように、深皿閉鎖部（７０）又はトップシール部は、封止用Ｏリング（６５）を含む。深皿閉鎖部（７０）の雄ネジは、Ｏリング（６５）が深皿（５０）の側壁（５８）に係合して封止が形成されるまで、深皿（５０）の雌ネジへ螺合され得る。図５では、Ｏリング（６５）が深皿閉鎖部（７０）と分離した状態で示されている。実際に使用する際には、Ｏリング（６５）は、深皿閉鎖部（７０）の底端の環状溝（６６）に嵌合される。深皿閉鎖部（７０）が深皿（５０）へ挿入されると、Ｏリング（６５）により、これら２つの部品の間に漏れのない封止が形成されるが、ＳＰＥディスク（６０）の上面（６４）と深皿閉鎖部（７０）の底縁（７２）との間には流体通路／ギャップ（７５）が残される。従って、ＳＰＥディスク（６０）の上面（６４）は、完全に流体試料又は溶出溶媒に曝されることになる。装置（４５）の頂部及び底部のルアーフィッティング９０、１００により、可撓性チューブ状の流体接続ラインの入口及び出口（８５、９５）をそれぞれ着脱可能に接続することが可能となり、これにより、液体が真空により引っ張られるか、又は陽圧（例えば蠕動ポンプ）により装置（４５）へ送達されることができるようになる。真空のみが本設計と共に使用される場合、深皿（７０）、支持スクリーン（５５）、及びＳＰＥディスク（６０）のみが必要とされ得る。深皿（７０）の底部のルアーフィッティング（１００）は適切な真空ラインに取り付けられ、試料は通常通り処理される。
【００２２】
深皿はまた、装置（４５）から出て行く流体通路を開閉するソレノイドバルブ等のバルブ（１０５）を含んでもよく、又は、クランプ（１１０）（例えばローラークランプ）がチューブ（９５）に設けられてもよい。このようにして、バルブ（１０５）又はクランプ（１１０）が閉じられると、溶媒がキャビティ（５２）へ運ばれてＳＰＥディスク（６０）が圧力下に置かれ、溶媒はＳＰＥディスク（６０）の全露出領域へ押し付けられ得る。これにより、徹底した抽出をより確実に行うことができる。装置（４５）内の圧力は、蠕動ポンプを用いて１ｐｓｉ．〜１００ｐｓｉ．の範囲とすることができ、より具体的には１ｐｓｉ．〜２０ｐｓｉ．の範囲とすることができる。
【００２３】
図７は、完全に組み立てられた装置（４５）を示す。Ｏリング（６５）が、深皿（５０）と深皿閉鎖部（７０）との間で漏れのない封止を形成するために使用される。深皿閉鎖部（７０）のすぐ下に流体通路／ギャップ（７５）が位置している。流体通路／ギャップ（７５）は任意の妥当な寸法とすることができるため、様々なプレフィルター又は濾過補助具が装置（４５）中で使用可能である。より重要なことは、ＳＰＥディスク（６０）の面（６４）が締め付けられておらず、また挟持されていないということであり、これは、分析対称物がトラップされて溶出ステップ中にディスク（６０）から溶離されない領域である上向きに沿った領域が存在しないということを意味する。上記で示されたものと同じ食品の色の検査を用いると、ＳＰＥディスク（６０）上に色は残らない。ＳＰＥディスク（６０）を通過する試料及び溶出溶媒の流れが流れ矢印（８０）により図示され、液体の流れがＳＰＥディスク（６０）全体を通ることが示されている。
【００２４】
ＳＰＥディスク（６０）を収容するキャビティ（５２）の大きさも、流体通路／ギャップ（７５）の大きさも、キャビティ（５２）及び流体通路／ギャップ（７５）の大きさ（高さ）を小さくするために深皿閉鎖部（７０）を回転させて深皿（５０）とさらに係合させたり、その逆であったりといったことによって、深皿閉鎖部（７０）と深皿（５０）との間のネジ式係合の程度に基づいて調節することができることに留意すべきである。このようにして、異なる厚さのＳＰＥディスク（６０）が収容可能である。
【００２５】
本開示の一実施形態によると、固相抽出システムは、厚みを有する固相抽出ディスクと；固相抽出ディスクホルダー装置と；を備えることができ、当該固相抽出システムにおいて、固相抽出ディスクホルダー装置は、固相抽出ディスクを受けるキャビティを有する深皿を備え、キャビティは、底壁及びこれに隣接する側壁により画成され；固相抽出ディスクは、深皿の側壁との間で封止、特に圧入封止を形成するように、キャビティ中に位置する際に、深皿の側壁に押し付けられる。
【００２６】
本開示の別の実施形態によると、圧入封止は、固相抽出ディスクの厚さ方向に沿って形成され得る。
【００２７】
本開示の別の実施形態によると、深皿のキャビティは、固相抽出ディスクを通過して流れることとなる流体試料を収容するリザーバを形成することができ；上記の封止は、流体試料が固相抽出ディスクとキャビティの側壁との間を流れるのを防止することができる。
【００２８】
本開示の別の実施形態によると、深皿の底壁は、流体試料の流体出口を有することができる。
【００２９】
本開示の別の実施形態によると、スクリーンが固相抽出ディスクとキャビティの底壁との間に設置され得る。
【００３０】
本開示の別の実施形態によると、深皿は、底壁にスクリーンを受ける凹部を有することができる。
【００３１】
本開示の別の実施形態によると、キャビティをカバーする深皿閉鎖部が、当該システムの一部として設けられ得る。
【００３２】
本開示の別の実施形態によると、深皿閉鎖部は、深皿と機械的に接続され得る。
【００３３】
本開示の別の実施形態によると、深皿閉鎖部は、ネジ式係合により深皿と機械的に接続され得る。
【００３４】
本開示の別の実施形態によると、当該ネジ式係合は、深皿閉鎖部の雄ネジが深皿の雌ネジと係合することにより形成可能である。
【００３５】
本開示の別の実施形態によると、深皿閉鎖部は、固相抽出ディスクを通過して流れることとなる流体試料の流体入口を有することができる。
【００３６】
本開示の別の実施形態によると、ガスケットが、キャビティ中に位置する流体試料の漏出を防ぐために、深皿閉鎖部と深皿との間に封止を形成することができる。
【００３７】
本開示の別の実施形態によると、ガスケットは、深皿の側壁閉鎖部と深皿の側壁との間に設置されたＯリングガスケットを備えることができる。
【００３８】
本開示の別の実施形態によると、Ｏリングガスケットは、深皿の側壁閉鎖部に形成された溝に設置され得る。
【００３９】
本開示の別の実施形態によると、深皿閉鎖部は、深皿に接続される際、キャビティ中で離間ギャップだけ固相抽出ディスクと離間され得、これにより流体試料の流体流れ通路が形成され得る。
【００４０】
本開示の別の実施形態によると、固相抽出システムを使用する方法は、固相抽出ディスクホルダー装置の深皿のキャビティへ固相抽出ディスクを挿入するステップであって、固相抽出ディスクが深皿の側壁に押し付けられて、封止が深皿の側壁との間に形成され、当該封止は、流体試料が固相抽出ディスクと深皿の側壁との間を流れるのを防止するようにするステップを含むことができる。
【００４１】
本開示の別の実施形態によると、当該方法は、キャビティ内の固相抽出ディスクへ流体試料を導入するステップであって、流体試料が、固相抽出ディスクと深皿の側壁との間を流れることなく、固相抽出ディスクを通って流体出口へ流れるステップをさらに含むことができる。
【００４２】
本開示の別の実施形態によると、流体試料は、陽圧及び真空の少なくとも一方が印加された状態で、固相抽出ディスクを通って流れる。
【００４３】
本開示の別の実施形態によると、当該方法は、キャビティ内の固相抽出ディスクへ溶出溶媒を導入するステップであって、溶出溶媒が、固相抽出ディスクと深皿の側壁との間を流れることなく、固相抽出ディスクを通って流体出口へ流れるステップをさらに含むことができる。
【００４４】
本開示の別の実施形態によると、当該方法は、深皿閉鎖部を深皿に機械的に接続するステップと；深皿閉鎖部と深皿との間に封止を形成するステップと；深皿閉鎖部が深皿に接続される際に、離間ギャップが固相抽出ディスクの上面と深皿閉鎖部との間に存在して、深皿閉鎖部が固相抽出ディスクの上面と接触しないように、深皿閉鎖部を配置するステップと、をさらに含むことができる。
【００４５】
本発明の好ましい実施形態が説明されてきたが、これらの実施形態において、本発明の趣旨及び添付の特許請求の範囲を逸脱することなく、様々な変更、適合化、及び修正が可能であることが理解されるべきである。従って、本発明の範囲は、上述の説明を参照して判断されるべきではなく、その代わりに、添付の特許請求の範囲及びそれらの均等発明の全範囲を参照して判断されるべきである。さらに、添付の特許請求の範囲には、必ずしも出願人が特許を請求する権利を有する最も広範囲の発明が含まれるわけではなく、必ずしも本発明について特許が請求されている方式のみが含まれるわけでもなく、必ずしも記載されている全特徴が必須であるわけでもない、ということが理解されるべきである。
【符号の説明】
【００４６】
２  ＳＰＥディスクホルダー装置
１０、５０  深皿
１５、５５  支持スクリーン
２０、６０  ＳＰＥディスク
２５  リザーバ
２７  足
３０、１１０  クランプ
３５  溶出溶媒
４０  上向きに沿った領域
４５  ＳＰＥ濾過ディスクホルダー装置
５２  キャビティ
５４  凹部
５８  側壁
６２  エッジ厚み部
６４  ＳＰＥディスクの上面
６５  Ｏリング
６６  環状溝
７０  深皿閉鎖部
７２  底縁
７５  ギャップ
８０  矢印
８５  入口
９０、１００  ルアーフィッティング
９５  出口
１０５  バルブ
【図１】
2015533216.tif 000003
【図２】
2015533216.tif 000004
【図３】
2015533216.tif 000005
【図４】
2015533216.tif 000006
【図５】
2015533216.tif 000007
【図６】
2015533216.tif 000008
【図７】
2015533216.tif 000009
【国際調査報告】
2015533216.tif 000010